(57)【特許請求の範囲】
【請求項１】
下部表面に下部貯留皿を取り付けた額縁状の前面枠と、遊技盤を収容しつつ同前面枠の裏面に支持される遊技盤取付枠と、上記遊技盤の裏面に支持される機構板とを備えるパチンコ機において、
上記前面枠に形成された貫通穴と、
上記下部貯留皿の裏面側にて上記貫通穴を貫通する誘導路と、
上記遊技盤取付枠の下方に形成され、上記誘導路の内周縁に密着するように前方に突出するリブを備える連通路と、
同遊技盤取付枠の背面に配設される機構板に備えられ、上記連通路の背面側の開口に下端開口部が侵入する溢れ賞球排出通路とを具備することを特徴とするパチンコ機。
【請求項２】
額縁状に形成された前面枠の下部表面に下部貯留皿を取り付けたパチンコ機において、
上記前面枠の背面に配設される遊技盤取付枠を下方に延長して溢れ賞球が通過可能な連通路を形成するとともに、同遊技盤取付枠の背面に配設される機構板の溢れ賞球排出通路の末端を同連通路に接続し、また、上記下部貯留皿の裏面側には上記連通路と接続する誘導路を一体的に形成するとともに、上記前面枠には下部貯留皿を前面側に取付けた際に上記誘導路が貫通し得る貫通穴を形成したことを特徴とするパチンコ機。
【発明の詳細な説明】
【０００１】
【産業上の利用分野】
本発明は、額縁状に形成された前面枠の下部表面に下部貯留皿を取り付けたパチンコ機に関するものである。
【０００２】
【従来の技術】
従来、パチンコ機の前面枠の下部表面には、下部貯留皿が取り付けられている。そして、下部貯留皿を前面枠の前方から取り付けた後に前面枠を裏返し、前記下部貯留皿に対応して前面枠に穿設される玉流出開口を覆うように、機構板の溢れ賞球排出通路の末端と下部貯留皿とを接続する接続樋を前面枠の裏面にステプラー針等で止着していた。
【０００３】
【発明が解決しようとする課題】
このため、単に下部貯留皿を前面枠の前方から取り付けただけでは機構板の溢れ賞球排出通路と下部貯留皿とが接続されるわけでなく、わざわざ前面枠を裏返して前面枠の裏面に接続樋を止着するという独立した工程を付加しなければならず、製造工数がかかるという問題があった。
本発明は、上記した問題点に鑑みなされたもので、その目的とするところは、下部貯留皿を前面枠の前方から止着するだけで機構板の溢れ賞球排出通路と下部貯留皿とを接続することができ、かつ、装着作業も容易に行なえることが可能なパチンコ機を提供することにある。
【０００４】
【課題を解決するための手段】
上記した目的を達成するために、本発明においては下部表面に下部貯留皿を取り付けた額縁状の前面枠と、遊技盤を収容しつつ同前面枠の裏面に支持される遊技盤取付枠と、上記遊技盤の裏面に支持される機構板とを備えるパチンコ機において、上記前面枠に形成された貫通穴と、上記下部貯留皿の裏面側にて上記貫通穴を貫通する誘導路と、上記遊技盤取付枠の下方に形成され、上記誘導路の内周縁に密着するように前方に突出するリブを備える連通路と、同遊技盤取付枠の背面に配設される機構板に備えられ、上記連通路の背面側の開口に下端開口部が侵入する溢れ賞球排出通路とを具備する構成としている。
また、請求項２にかかる発明は、額縁状に形成された前面枠の下部表面に下部貯留皿を取り付けたパチンコ機において、上記前面枠の背面に配設される遊技盤取付枠を下方に延長して溢れ賞球が通過可能な連通路を形成するとともに、同遊技盤取付枠の背面に配設される機構板の溢れ賞球排出通路の末端を同連通路に接続し、また、上記下部貯留皿の裏面側には上記連通路と接続する誘導路を一体的に形成するとともに、上記前面枠には下部貯留皿を前面側に取付けた際に上記誘導路が貫通し得る貫通穴を形成した構成としている。
【０００５】
【作用】
上記のように構成した請求項１の発明では、前面枠の背面側においては、遊技盤取付枠の背面に機構板を取り付けると、同遊技盤取付枠の下方に形成した連通路の背面側開口に機構板の溢れ賞球排出通路の下端開口部が侵入して接続する。一方、前面枠の正面から下部貯留皿を装着すると誘導路は貫通穴を介して背面側に突き出ることになり、連通路において前方に突出するリブが上記誘導路の内周縁に密着する。すなわち、誘導路の背面側開口に対して連通路の正面側開口端にあるリブが進入しており、同連通路の背面側に溢れ賞球排出通路の下端が接続されているので、同溢れ賞球排出通路は下部貯留皿まで接続される。
また、上記のように構成した請求項２の発明においては、前面枠の背面側においては、遊技盤取付枠が配設される。同遊技盤取付枠の背面に機構板を取り付けると、同遊技盤取付枠を下方に延長して形成した連通路の背面側開口と機構板の溢れ賞球排出通路の末端とが接続する。一方、前面枠の正面から下部貯留皿を装着すると下部貯留皿に一体的に形成されて接続する誘導路は貫通穴を介して背面側に突き出ることになり、同誘導路の先端が前面枠の背面側に固定される遊技盤取付枠の連通路の前面側開口に接続される。
【０００６】
【発明の効果】
以上、説明したところから明らかなように、本発明においては、前面枠の正面から下部貯留皿を取り付ければ、下部貯留皿の裏面側に形成した誘導路と、遊技盤取付枠の下方に形成した連通路とが、下部貯留皿と溢れ賞球排出通路の末端との間を介在して連結する。従って、誘導路を貫通穴に貫通させながら下部貯留皿を前面枠の前方から装着するだけで、機構板の溢れ賞球排出通路と下部貯留皿とを容易に接続することが可能となる。このため、従来のように前面枠を裏返して接続樋を前面枠の裏面に止着するという工程を省略することができる。
【０００７】
また、既存の遊技盤取付枠を下方に延長して連通路を形成し、装飾板の裏面から機構板の溢れ賞球排出通路までの経路の一部を、当該遊技盤取付枠自体が構成するようにすれば、装飾板の裏面から機構板の溢れ賞球排出通路まで接続樋を形成するのに比べて経路が短縮され、部品を小さくすることができる。
【０００８】
【実施例】
以下、図面を参照にして、本発明の実施例について説明する。まず、図３及び図４を参照して実施例に係るパチンコ機１０の全体の構成について説明する。図３は、パチンコ機１０を正面より示しており、図４は、パチンコ機１０を背面より示している。
【０００９】
パチンコ機１０は、図示しない設置島に取り付けられる長方形枠状の外枠２０と、この外枠２０の前面に対して開閉自在に組み付けられた額縁状に形成された前面枠３０とを備えており、当該パチンコ機１０を構成する主要部品はすべて前面枠３０に集約して固定されている。
前面枠３０の額縁状に形成された開口には金枠３１が周設され、この金枠３１の上部には遊技盤３２の前面を覆うガラス板を支持収納するガラス扉枠３３が開閉自在に設けられ、同金枠３１の下部には上部貯留皿３４を有する前面扉３５が開閉自在に設けられている。また、前面枠３０の下部表面には、下部貯留皿３６を有する装飾板３７が取り付けられており、同装飾板３７にはこの他にも操作ハンドル３８や灰皿３９が備えら得ている。なお、開閉自在に設けられる前面枠３０、ガラス扉枠３３、及び前面扉３５は、いずれも左側を支点として開閉され、右側には、施錠装置が設けられている。また、前面枠３０の下部中央には、図１に示すように、後述する誘導路を挿通可能な長方形の貫通穴３０ａを形成してあり、その右側には円形のハンドル軸貫通穴３０ｂを形成している。
【００１０】
ほぼ横長長方形状に合成樹脂で形成された装飾板３７は、その前面中央に下部貯留皿３６を備え、同下部貯留皿３６の左側には灰皿３９、右側には操作ハンドル３８が取り付けられている。下部貯留皿３６の後面側壁面は後方に延出する筒状の誘導路３６ａを有しており、同誘導路３６ａの長さは上記前面枠３０の貫通穴３０ａを貫通して当該前面枠３０の裏面に達する程度の長さとなっている。なお、本実施例においては、誘導路３６ａを下部貯留皿３６と一体的に形成しているが、別体として形成してビスや接着剤で固着するようにしてもよい。
一方、パチンコ機１０の背面では、枠状の遊技盤取付枠４１が遊技盤３２を収容しつつ前面枠３０の裏面に対して締付金具によて押圧支持されており、同遊技盤取付枠４１の背面に対して同遊技盤３２の裏面を覆う機構板５０が開閉自在に支持されている。
【００１１】
ところで、機構板５０は、周知のように遊技において発生した入賞球に基づいて所定個数の賞球を排出するための各種の機構が設けられるものであり、これらの機構について簡単に説明する。機構板５０の後面側には、その上部に多量の賞球を貯留する賞球タンク５１が設けられ、該賞球タンク５１の下方に貯留された賞球を二列に整列して流下させる賞球誘導レール５２が設けられ、その賞球誘導レール５２に賞球排出装置５３が設けられている。この賞球排出装置５３は、入賞球処理装置５４からの賞球排出指令信号に基づいてモータを回転駆動することにより賞球を一個ずつ計数しながら排出するものである。賞球排出装置５３から排出された賞球は、賞球排出通路５５を流下して前記上部貯留皿３４に導かれる。また、上部貯留皿３４が賞球で満杯となったときには、溢れ賞球排出通路５６を流下して下部貯留皿３６に導かれる。また、機構板５０の前面側下部には、遊技において発生する入賞球を集合せしめて入賞球処理装置５４に導く入賞球集合樋５７が形成されている。
【００１２】
上記遊技盤取付枠４１の下端には下方に突出するとともに前後に貫通して連通路となる連通孔４１ａが形成されている。同連通孔４１ａの前面側は上記貫通穴３０ａを介して上記誘導路３６ａに対面し、かつ、同誘導路３６ａの左右と下方の内周縁に密着するように前面に突出するリブ４１ａ１を備えている。また、上記機構板５０の溢れ賞球排出通路５６の下端開口５６ａはわずかに正面側に突出しており、上記連通孔４１ａの背面側の開口に進入している。
上記構成からなるパチンコ機１０を組み付けは、次のように行なわれる。
まず、遊技盤取付枠４１を前面枠３０の背面にビス止めで取り付けると、同遊技盤取付枠４１の下方の連通孔４１ａは前面枠３０に形成した貫通孔３０ａに対面した状態となる。次に、あらかじめ組付が完了した装飾板３７を前面枠３０の下方に取り付ける。このとき、下部貯留皿３６の背面から突出している誘導路３６ａを前面枠３０の下部中央に形成した貫通孔３０ａに挿入する。貫通孔３０ａ内では遊技盤取付枠４１における連通孔４１ａのリブ４１ａ１が背面側から進入しており、誘導路３６ａの長さが概ね前面枠３０の厚みに一致しているので、同リブ４１ａ１が誘導路３６ａの背面側開口に入り込むようにして位置合わせする。位置合わせ後、装飾板３７を前面枠３０に対してネジ止め固定する。
【００１３】
一方、パチンコ機１０の背面側では、遊技盤取付枠４１に遊技盤３２を収容し、さらに機構板５０を背面側から開閉可能に取り付ける。すると、同機構板５０の溢れ賞球排出通路５６の下端開口５６ａは同遊技盤取付枠４１における連通孔４１ａの背面側開口に進入するため、実質的に溢れ賞球排出通路５６は連通孔４１ａまで延びたのと同じことになる。
上述したように、誘導路３６ａの背面側開口に対して連通孔４１ａの正面側開口端にあるリブ４１ａ１が進入しており、同連通孔４１ａの背面側に溢れ賞球排出通路５６の下端が接続されているので、同溢れ賞球排出通路５６は下部貯留皿３６まで接続されたことになる。
【００１４】
このように、前面枠３０の背面側では遊技盤取付枠４１と機構板５０とをそれぞれ取り付け、正面側では装飾板３７を取り付けることにより、溢れ賞球排出通路５６の下端が同位置にある遊技盤取付枠４１の下方の連通孔４１ａと接続するとともに、装飾板３７に備えられた下部貯留皿３６の背面に形成された誘導路３６ａは前面枠３０の下部中央に形成した貫通孔３０ａを正面側から貫通して同連通孔４１に接続するため、溢れ賞球排出通路５６と下部貯留皿３６が接続する。このため、従来のように前面枠を裏返して接続樋を前面枠の裏面に止着するという工程を省略することができる。また、それぞれが独立して組み付けられれば、通路が連続するので、従来のように接続樋だけを独立に組み付ける作業も省略できる。
【図面の簡単な説明】
【図１】本発明の一実施例に係るパチンコ機の下方部分の分解斜視図である。
【図２】同パチンコ機の下方部分の断面図である。
【図３】同パチンコ機の正面図である。
【図４】同パチンコ機の背面図である。
【符号の説明】
１０…パチンコ機
３０…前面枠
３０ａ…貫通穴
３６…下部貯留皿
３６ａ…誘導路
３７…装飾板
４１…遊技盤取付枠
４１ａ…連通孔
４１ａ１…リブ
５０…機構板
５６…溢れ賞球排出通路
５６ａ…下端開口
【図１】
0003617043.tif 000002
【図２】
0003617043.tif 000003
【図３】
0003617043.tif 000004
【図４】
0003617043.tif 000005